(57)【特許請求の範囲】
【請求項１】
ハウジングの両側壁に結合溝を形成し、配線基板には嵌合凹部を形成し、前記結合溝に前記嵌合凹部の両側の前記配線基板を差し込んだ構造の基板用コネクタであって、
前記結合溝の内壁には前記ハウジングの差し込み方向に下り傾斜のテーパ面を有する係合突起を形成し、前記嵌合凹部の両側の配線基板には前記係合突起と逆方向のテーパ面を有する係止爪を形成し、前記ハウジングの差し込み時前記係合突起が係止爪に干渉し前記内壁の撓みにより前記係止爪を乗り越えて該係止爪に係合し該ハウジングを正規の位置に保持することを特徴とする基板用コネクタ。
【請求項２】
前記結合溝の内壁には、スリットを形成したことを特徴とする請求項１記載の基板用コネクタ。
【発明の詳細な説明】
【０００１】
【発明の属する技術分野】
本発明は、電子回路基板に組付けられる基板用コネクタに関し、詳しくは、基板用コネクタの取り付け構造の改良に関するものである。
【０００２】
【従来の技術】
従来のボトムタイプの基板用コネクタＡ１は、図６に示すように、ハウジング１と、このハウジング１内に設けられた端子４とを有し、配線基板５に形成された角形の開口部１４に合わせて基板３の下面に取り付けられている。端子４は、ハウジング１の底部を通って上向きに折曲され、配線基板５の表面に突出し、配線基板５に半田付け１６されると共に、固定ピン１７を半田付け１８することにより、ハウジング１を保持している。そして、雄コネクタ９を開口部４からハウジング１内に嵌合させて端子４と接続するようになっている。
【０００３】
【発明が解決しようとする課題】
従来の基板用コネクタは、ハウジング１の斜め付け等により半田付け１６、１８が不完全な状態であっても、雄コネクタ９が嵌合可能であればそのまま出荷され、市場で流通することがある。このような製品の場合、何らかの外力が加わわると、図７に示すように基板用コネクタＡ１が動き、最悪の場合配線基板５から脱落することがある。
【０００４】
本発明は、上述の点に着目してなされたもので、配線基板に対して不完全装着のとき雄コネクタの嵌合を不能にする手段を設けることにより、不完全装着を判別できるようにした基板用コネクタを提供することを目的とする。
【０００５】
【課題を解決するための手段】
前記目的を達成するため、請求項１記載の発明は、ハウジングの両側壁に結合溝を形成し、配線基板には嵌合凹部を形成し、前記結合溝に前記嵌合凹部の両側の前記配線基板を差し込んだ構造の基板用コネクタであって、前記結合溝の内壁には前記ハウジングの差し込み方向に下り傾斜のテーパ面を有する係合突起を形成し、前記嵌合凹部の両側の配線基板には前記係合突起と逆方向のテーパ面を有する係止爪を形成し、前記ハウジングの差し込み時前記係合突起が前記係止爪に干渉し前記内壁の撓みにより前記係止爪を乗り越えて該係止爪に係合し該ハウジングを正規の位置に保持することを特徴とするものである。
【０００６】
このため、請求項１記載の発明では、係合突起と係止爪が干渉しあっているような不完全な装着状態の場合は、ハウジングが変形して雄コネクタが嵌合不能の状態になり、これにより、不完全装着であることが分かり、不良品が市場に流出することを未然に防止できる。
【０００７】
また、請求項２記載の発明は、請求項１記載の基板用コネクタであって、前記結合溝の内壁にはスリットを形成したことを特徴とするものである。
【０００８】
このため、請求項２記載の発明では、係合突起が配線基板の係止爪で押されたとき結合溝の内壁が変形しやすくなり、コネクタの差し込み結合操作が容易になる。
【０００９】
【発明の実施の形態】
以下、本発明の基板用コネクタの実施の形態について、図面を参照して詳細に説明する。なお、図６及び図７と同一部材または同一機能のものは同一符号で示している。
【００１０】
図１、図２及び図３の第１実施の形態において、基板用コネクタＡは、ボトム形のハウジング１と、該ハウジング１内に設けられた端子４とを有し、上部の開口部ａから雄コネクタ９を嵌め込んで接合するものである。この基板用コネクタＡは、配線基板５に形成された角形の嵌合凹部１０に後述のように嵌合固定される。
【００１１】
ハウジング１の長手方向の両側壁１ａには上下に突出部２、３が形成され、この突出部２、３の間に結合溝６が形成されている。突出部２、３の入口部分には結合溝６に向けて傾斜するテーパ面２ａ、３ａが形成されている。また、短手方向の両側壁１ｂにはホルダ部７が形成され、このホルダ部７の孔７ａに端子４が挿通されている。このホルダ部７と下部の突出部３とは上面が同一面となっている。
【００１２】
結合溝６の内壁６ａ（側壁１ａの一部）には結合溝６内に突出する係合突起８が形成されている。この係合突起８の形状は、図３に示すように、入口（ホルダ７の方向）に向けて下り傾斜のテーパ面８ａを有する三角形状のものである。
【００１３】
配線基板５の嵌合凹部１０の前端面には端子４を嵌め込む半円溝１１が形成され、嵌合凹部１０の両側内面には係止爪１２が形成されている。この係止爪１２の形状は、図１及び図３に示すように、嵌合凹部１０の開口部に向けて広がる方向、すなわち、前記係合突起８のテーパ面８ａと反対向きの傾斜のテーパ面１２ａを有する三角形状のものである。
【００１４】
ハウジング１を図１及び図２の矢印方向に移動させ、結合溝６を嵌合凹部１０の両側部分に嵌めて押し込む。このとき係合突起８と係止爪１２が干渉しはじめるが、テーパ面８ａと１２ａとの接触により内壁６ａが押されて弾性変形しつつ係合突起８がスライドし、係止爪１２のテーパ面１２ａを通過しおわると係止爪１２と係合突起８とが係合する（図３参照）。
【００１５】
また、半円溝１１は、各端子４に合致し、配線基板５の嵌合凹部１０の前端縁は、ホルダ７に保持される。端子４は、配線基板５の回路部１３に半田付けされる。
【００１６】
図４（ａ）は、上述のようにして係合突起８と係止爪１２が係合した正規の装着状態（図３の状態）を示しており、この状態では雄コネクタ９は、嵌合可能である。また、雄コネクタ９が嵌合した状態においては雄コネクタ９によりハウジング１が内側方向に撓むことが阻止されるので、正規の装着状態が維持され、外力が加わっても外れることがない。
【００１７】
これに対して係合突起８と係止爪１２が係合していない、例えば係合突起８と係止爪１２が干渉しあっているような不完全な装着状態の場合は、図４（ｂ）に示すようにハウジング１が内側に変形し、雄コネクタ９が嵌合不能の状態になり、これにより、不完全装着であることが分かり、不良品が市場に流出することを未然に防止できる。以上のように、係合突起８と係止爪１２との機構は、係合による保持力強化の機能と共に不良品判別機能の両者を有しいることになる。
【００１８】
図５は、本発明の第２実施の形態で、係合突起８の上下において、結合溝６の内壁６ａにスリット１５を形成している。これにより、係合突起８が配線基板５の係止爪１２で押されたとき内壁６ａが変形しやすくなり、基板用コネクタＡの差し込み操作が容易かつ確実になる。
【００１９】
【発明の効果】
以上、詳述したように、請求項１記載の発明によれば、結合溝の内壁に係合突起を形成し、配線基板の嵌合凹部の両側には係止爪を形成し、両者の係合により基板用コネクタを正規の位置に保持するようにしたので、基板用コネクタの確実な保持が可能になると共に、係合突起と係止爪が干渉しているような不完全な装着状態の場合は、ハウジングが変形して雄コネクタが嵌合不能の状態になり、これにより、不完全装着であることが分かり、不良品が市場に流出することを防止できる。
【００２０】
また、請求項２記載の発明によれば、結合溝の内壁に、スリットを形成したので、請求項１記載の発明の効果に加えて、基板用コネクタの差し込み時にハウジングが変形しやすくなり、結合操作が容易かつ確実になる。
【図面の簡単な説明】
【図１】本発明の基板用コネクタの第１実施の形態を示す分解斜視図である。
【図２】図１の側面図である。
【図３】第１実施の形態の基板用コネクタの装着状態の横断平面図である。
【図４】（ａ）は正規の装着状態、（ｂ）は不正常な装着状態の作動説明図である。
【図５】第２実施の形態の側面図である。
【図６】従来の基板用コネクタの断面図である。
【図７】従来の基板用コネクタの作用を示す断面図である。
【符号の説明】
１  ハウジング
１ａ  側壁
４  端子
５  配線基板
６  結合溝
６ａ  内壁
８  係合突起
８ａ  テーパ面
１０  嵌合凹部
１２  係止爪
１２ａ  テーパ面
１５  スリット
Ａ  基板用コネクタ
【図１】
0003798177.tif 000002
【図２】
0003798177.tif 000003
【図３】
0003798177.tif 000004
【図４】
0003798177.tif 000005
【図５】
0003798177.tif 000006
【図６】
0003798177.tif 000007
【図７】
0003798177.tif 000008